(57)【要約】【課題】通信開始時に呼毎に選択される伝送装置と無線基地局との間の伝送路コストのロス、ユーザデータの伝送遅延、伝送路の圧迫を抑える。【解決手段】ネットワークトポロジーの観点を考慮した距離が近い伝送装置と無線基地局とに同一の識別子が付与されているテーブルを設けておく。通信路の設定の際に利用する伝送装置と無線基地局とを、その識別子に基づいて選択する。テーブルは、ネットワークトポロジーの観点を考慮した特定の装置からの距離に応じて付与された識別子と無線基地局との対応関係を示すテーブルＡと、識別子と伝送装置との対応関係を示すテーブルＢとから構成され、これらのテーブルを参照して、伝送装置を選択する。【選択図】      図１
2008312137.tif 000002
【特許請求の範囲】
【請求項１】
通信開始時に呼毎に選択される伝送装置と無線基地局とを利用して通信路を設定する無線制御装置であって、ネットワークトポロジーの観点を考慮した距離が近い伝送装置と無線基地局とを選択する選択手段を含み、前記選択手段によって選択された伝送装置と無線基地局とを利用して通信路を設定することを特徴とする無線制御装置。
【請求項２】
請求項１に記載の無線制御装置において、
ネットワークトポロジーの観点を考慮した距離が近い伝送装置と無線基地局とに同一の識別子が付与されているテーブルを更に含み、
前記選択手段は、通信路の設定の際に利用する伝送装置と無線基地局とを、前記識別子に基づいて選択することを特徴とする無線制御装置。
【請求項３】
請求項２に記載の無線制御装置において、
前記テーブルは、ネットワークトポロジーの観点を考慮した特定の装置からの距離に応じて付与された識別子と前記無線基地局との対応関係を示す第１のテーブルと、前記識別子と前記伝送装置との対応関係を示す第２のテーブルとから構成され、前記選択手段は、前記第１及び第２のテーブルを参照して、伝送装置を選択することを特徴とする無線制御装置。
【請求項４】
請求項２又は３に記載の無線制御装置において、
前記テーブルは、１つの伝送装置に複数の識別子が対応付けられており、前記選択手段は、対応付けられている識別子の数に基づいて、伝送装置を選択することを特徴とする無線制御装置。
【請求項５】
請求項３に記載の無線制御装置において、
前記第２のテーブルは、前記第１のテーブルに含まれていない特別な識別子と、その識別子に対応付けられた伝送装置との対応関係を含み、
前記選択手段は、前記第１のテーブルの参照によって抽出された識別子が前記第２のテーブルに存在しない場合には、前記特別な識別子に対応付けられた伝送装置を選択することを特徴とする無線制御装置。
【請求項６】
伝送装置と無線基地局とを利用して通信路を設定する無線通信システムであって、ネットワークトポロジーの観点を考慮した距離が近い伝送装置と無線基地局とを選択する選択手段を含み、前記選択手段によって選択された伝送装置と無線基地局とを利用して通信路を設定することを特徴とする無線通信システム。
【請求項７】
通信開始時に呼毎に選択される伝送装置と無線基地局とを利用して通信路を設定する通信路設定方法であって、ネットワークトポロジーの観点を考慮した特定の装置からの距離に応じて付与された識別子と前記無線基地局との対応関係を示す第１のテーブルを参照するステップと、前記識別子と前記伝送装置との対応関係を示す第２のテーブルを参照するステップと、前記第１及び第２のテーブルの参照結果に基づいて選択された伝送装置を利用して通信路を設定するステップとを含むことを特徴とする通信路設定方法。
【発明の詳細な説明】
【技術分野】
【０００１】
本発明は無線制御装置、無線通信システム、通信路設定方法に関し、特に通信開始時に呼毎に選択される伝送装置と無線基地局とを利用して通信路を設定する無線制御装置、これを含む無線通信システム、通信路設定方法に関する。
【背景技術】
【０００２】
近年、３ＧＰＰ（３rd  Generation Partnership Projects）により、符号分割多元接続（ＣＤＭＡ）技術に基づいたＷ−ＣＤＭＡシステムと呼ばれる移動通信システムが提案され、非特許文献１に仕様化されている。
図８の移動体通信ネットワークは、コアネットワーク（以下、ＣＮと呼ぶ）１０に接続されている無線制御装置（Radio Network Controller；以下、ＲＮＣと呼ぶ）１と、ネットワーク（Network）２０を介してＲＮＣ１に接続される無線基地局（以下、ＢＴＳと呼ぶ）３１、３２、３３、３４とを含んで構成されている。移動局（User Equipment；以下、ＵＥと呼ぶ）４１、４２は、ＢＴＳによって実現される無線サービスエリアに位置している場合に移動無線通信サービスを利用することができる。すなわち、発信側ＵＥ４１から呼が生起されると、着信側ＵＥ４２との間に通信路が設定され、通話・通信が可能となる。
【０００３】
以上の構成は、３ＧＰＰ準拠の移動無線通信システムである。この構成に加えて図８のネットワークには、同じくＲＮＣ１によって選択される伝送装置（Base Station−Data Transfer Module；以下、ＢＳ−ＤＴＭと呼ぶ）２１、２２が設けられている。これらＢＳ−ＤＴＭ２１、２２は、ユーザデータの終端転送機能を備え、通信開始時に無線制御装置によって呼毎に接続され無線基地局との通信路を設定する機能を有している。
【０００４】
このような構成からなるネットワークにおいては、ＢＳ−ＤＴＭ２１、２２を用いることにより、ＲＮＣ１を経由せずにＢＳ−ＤＴＭ２１、２２でユーザデータを折り返して通話・通信が可能になる。このため、図中の太線で示されているようにユーザデータの通信路（Ｕ−ｐｌａｎｅ）を短縮できる。この点は、特許文献１に記載されている。
ここで、回線交換（Circuit Switching；ＣＳ）通信の場合における、ＢＳ−ＤＴＭ回線設定のシーケンス例について、図９を参照して説明する。
【０００５】
同図において、発信側のＵＥ４１が通信開始要求を送信すると、まず、ＵＥ〜ＲＮＣ間で無線Connection設定（RRC Connection設定）が行われる（Ｓ１０１）。次に、ＵＥ４１から上位ノードに向けてサービス要求信号（MM CM Service Request）が送信され（Ｓ１０２）、ＵＥ〜上位ノード間の設定（秘匿設定等）に入る（Ｓ１０３）。
その後、ＣＮ１０内の上位ノードからＲＮＣ１に無線アクセスベアラの設定要求（RAB Assignment Request）が送信されて（Ｓ１０４）、ＲＮＣにて発信側のＢＳ−ＤＴＭの選択が実施される（Ｓ１０５）。なお、ＢＳ−ＤＴＭが複数存在する場合は、ＢＴＳとＢＳ−ＤＴＭとの対応付けは呼生起時に実施される。
【０００６】
ここで、ＢＳ−ＤＴＭについての選択論理は、例えば、資源（この場合はＢＳ−ＤＴＭ）を順番に割り振る方法、Ｒａｎｄｏｍに割り振る方法等がある。なおＢＳ−ＤＴＭの選択ができなかった場合は解放手順に進む（Ｓ１０５→Ｓ１０６）。
ＢＳ−ＤＴＭが選択された場合はＢＳ−ＤＴＭ〜ＲＮＣ間のＢＳ−ＤＴＭ回線設定が実施される（Ｓ１０５→Ｓ１０７）。次に、ＢＴＳ〜ＲＮＣ間のＢＴＳ回線設定が実施される（Ｓ１０８）。さらに、無線アクセス設定が行われて（Ｓ１０９）、ＲＮＣ１からＣＮ１０内の上位ノードに向けて無線アクセスベアラ設定応答（RAB Assignment Response）が送信される（Ｓ１１０）。そして、着信側の設定に移行する（Ｓ１１１）。なお、着信側のＢＳ−ＤＴＭ回線設定シーケンスは最初にＰａｇｉｎｇのシーケンスが入るが、それ以降のシーケンスは発信側のＢＳ−ＤＴＭ回線設定シーケンスと同一である。
【０００７】
ところで、ＣＮを経由しないで通話を実現する点は、特許文献２にも記載されている。また、同一基地局を介して通信を確立した場合に、基地局を介さずに通信する状態に移行する点、その移行に際して端末同士が近接する位置関係にあるか判別する点が、特許文献３に記載されている。
【特許文献１】特開２００４−３６４０５４号公報
【特許文献２】特開２００６−１０８８９１号公報
【特許文献３】特開平８−２９４１６８号公報
【非特許文献１】３ＧＰＰ技術仕様書ＴＳ２１．１０１
【発明の開示】
【発明が解決しようとする課題】
【０００８】
上述したシステムの構成において、ＢＳ−ＤＴＭが複数ある場合、必ずしもＢＴＳに近いＢＳ−ＤＴＭを選択するとは限らない。ここで、この場合の“遠近”は、物理的距離に限らずネットワークトポロジーの観点も含んだ距離を意味する。つまり、ネットワークトポロジーの観点も含んだ距離がＢＴＳに近いＢＳ−ＤＴＭと遠いＢＳ−ＤＴＭとが存在する場合において、ＢＴＳに一番近いＢＳ−ＤＴＭが呼生起時に選択されるとは限らない。これより、遠いＢＳ−ＤＴＭが選択された場合、ＢＳ−ＤＴＭとＢＴＳとの間の伝送路コストのロス、またユーザデータの伝送遅延、伝送路の圧迫といった問題が生じる。この問題は、特許文献１や特許文献２の記載内容によって解決することはできない。
【０００９】
特許文献３では、基地局のサービスエリア内における移動端末同士の位置関係を判別しており、上述したＢＳ−ＤＴＭの選択の際に生じる問題を解決することはできない。
本発明は上述した背景技術の問題点を解決するためになされたものであり、その目的はＢＴＳとＢＳ−ＤＴＭとの間の伝送路コストのロス、ユーザデータの伝送遅延、伝送路の圧迫を抑えることのできる無線制御装置、無線通信システム、通信路設定方法を提供することである。
【課題を解決するための手段】
【００１０】
本発明の請求項１に記載の発明は、通信開始時に呼毎に選択される伝送装置と無線基地局とを利用して通信路を設定する無線制御装置であって、ネットワークトポロジーの観点を考慮した距離が近い伝送装置と無線基地局とを選択する選択手段を含み、前記選択手段によって選択された伝送装置と無線基地局とを利用して通信路を設定することを特徴とする無線制御装置を提供する。
請求項１に記載の発明によれば、適切な伝送装置を選択することができるので、無線基地局と伝送装置との間の伝送路コストのロス、ユーザデータの伝送遅延、伝送路の圧迫を抑えることができる。
【００１１】
本発明の請求項２に記載の発明は、請求項１に記載の無線制御装置において、
ネットワークトポロジーの観点を考慮した距離が近い伝送装置と無線基地局とに同一の識別子が付与されているテーブルを更に含み、
前記選択手段は、通信路の設定の際に利用する伝送装置と無線基地局とを、前記識別子に基づいて選択することを特徴とする。
請求項２に記載の発明によれば、テーブル内の識別子を参照することにより、伝送装置と無線基地局とを適切に選択できる。
【００１２】
本発明の請求項３に記載の発明は、請求項２に記載の無線制御装置において、
前記テーブルは、ネットワークトポロジーの観点を考慮した特定の装置からの距離に応じて付与された識別子と前記無線基地局との対応関係を示す第１のテーブルと、前記識別子と前記伝送装置との対応関係を示す第２のテーブルとから構成され、前記選択手段は、前記第１及び第２のテーブルを参照して、伝送装置を選択することを特徴とする。
請求項３に記載の発明によれば、第１及び第２のテーブルを用いているので、伝送装置、無線基地局と識別子との対応関係が複雑であっても、テーブル内の識別子を参照して、伝送装置と無線基地局とを適切に選択できる。
【００１３】
本発明の請求項４に記載の発明は、請求項２又は３に記載の無線制御装置において、
前記テーブルは、１つの伝送装置に複数の識別子が対応付けられており、前記選択手段は、対応付けられている識別子の数に基づいて、伝送装置を選択することを特徴とする。
請求項４に記載の発明によれば、対応付けられている識別子の数が最も少ない伝送装置を選択することができ、適切な伝送装置と無線基地局とを利用して通信路を設定できる。
本発明の請求項５に記載の発明は、請求項３に記載の無線制御装置において、
前記第２のテーブルは、前記第１のテーブルに含まれていない特別な識別子と、その識別子に対応付けられた伝送装置との対応関係を含み、
前記選択手段は、前記第１のテーブルの参照によって抽出された識別子が前記第２のテーブルに存在しない場合には、前記特別な識別子に対応付けられた伝送装置を選択することを特徴とする。
【００１４】
請求項５に記載の発明によれば、特別な識別子を例えば新設された伝送装置に対応付けておけば、その伝送装置は全国で共通的に使用でき、設備の増減が発生した際に識別子と伝送装置との対応情報が更新されていない状況でも伝送装置を選択することができ、保守稼動が削減できる。
【００１５】
本発明の請求項６に記載の発明は、伝送装置と無線基地局とを利用して通信路を設定する無線通信システムであって、ネットワークトポロジーの観点を考慮した距離が近い伝送装置と無線基地局とを選択する選択手段を含み、前記選択手段によって選択された伝送装置と無線基地局とを利用して通信路を設定することを特徴とする無線通信システムを提供する。
請求項６に記載の発明によれば、適切な伝送装置を選択することができるので、無線基地局と伝送装置との間の伝送路コストのロス、ユーザデータの伝送遅延、伝送路の圧迫を抑えることができる。
【００１６】
本発明の請求項７に記載の発明は、通信開始時に呼毎に選択される伝送装置と無線基地局とを利用して通信路を設定する通信路設定方法であって、ネットワークトポロジーの観点を考慮した特定の装置からの距離に応じて付与された識別子と前記無線基地局との対応関係を示す第１のテーブルを参照するステップ（例えば、図４中のステップＳ２０２に対応）と、前記識別子と前記伝送装置との対応関係を示す第２のテーブルを参照するステップ（例えば、図４中のステップＳ２０５に対応）と、前記第１及び第２のテーブルの参照結果に基づいて選択された伝送装置を利用して通信路を設定するステップ（例えば、図９中のステップＳ１０７、Ｓ１０８に対応）とを含むことを特徴とする通信路設定方法を提供する。
請求項７に記載の発明によれば、第１及び第２のテーブルを用いているので、伝送装置、無線基地局と識別子との対応関係が複雑であっても、テーブル内の識別子を参照して、通信路を適切に設定できる。
【発明の効果】
【００１７】
本発明によれば、無線制御装置を経由せずにユーザデータを伝送装置で折り返してユーザデータの通信路を短縮する無線通信システムを実現させる上で、課題となる伝送装置と無線基地局間の伝送路コストのロス、ユーザデータの伝送遅延、伝送路の圧迫を抑えることができるという効果がある。
【発明を実施するための最良の形態】
【００１８】
以下、本発明の実施の形態を、図面を参照して説明する。なお、以下の説明において参照する各図では、他の図と同等部分は同一符号によって示されている。
なお、本実施形態における無線通信システム全体の構成は、図８に示されている構成と同一である。また、本実施形態における発信時の全体的なシーケンスも、図９の場合と同一である。
【００１９】
（システムの概要）
ＢＴＳに近いＢＳ−ＤＴＭと遠いＢＳ−ＤＴＭとが存在する場合において、ＢＴＳにネットワークトポロジーの観点を含んだ距離として一番近いＢＳ−ＤＴＭを優先的に選択できるようにする手段が必要になる。本システムでは、この手段の実現のために、ネットワークトポロジーの観点を含んだ距離として近いＢＴＳとＢＳ−ＤＴＭとに同一の識別子（以下、Location ＩＤと呼ぶ）を予め付与しておく。
そして、呼生起時には、このLocation ＩＤを用いてＢＳ−ＤＴＭの選択を行う。すなわち本システムは、呼生起時にLocation ＩＤを元に優先的に該当ＢＴＳと同一のLocation ＩＤが付与されているＢＳ−ＤＴＭを選択する点に特徴があり、この点で上述した背景技術とは異なる。
【００２０】
（ＲＮＣの主要構成例）
図１は、本例の無線通信システムにおけるＲＮＣ１の主要構成の一例を示すブロック図である。同図には、ＢＳ−ＤＴＭ選択機能に関する構成部分が示されている。
同図において、ＲＡＮＡＰ信号送受信部１１、対ＢＳ−ＤＴＭ送受信部１２、信号解析生成部１３、ＢＳ−ＤＴＭ選択部１４は、既存にある機能部分である。本例のシステムにおいて特徴的なのは、ＢＴＳ番号⇒Location ＩＤ抽出部１５と、Location ＩＤ⇒ＢＳ−ＤＴＭ番号抽出部１６を具備している点である。さらに、スタティックメモリ１７において、テーブル（Ｔａｂｌｅ）Ａ及びテーブル（Ｔａｂｌｅ）Ｂを保持していることも特徴的な点である。
【００２１】
このような構成からなるＲＮＣ１における処理の流れは、以下の通りである。すなわち、上位ノードからの無線アクセス設定要求をＲＡＮＡＰ信号送受信部１１にて受信すると、信号解析生成部１３に渡り、以下のＢＳ−ＤＴＭ選択手順に移行する。
ＢＳ−ＤＴＭ選択手順では、信号解析生成部１３で該当ＢＴＳ番号が受け取られ、その該当ＢＴＳ番号がＢＳ−ＤＴＭ選択信号に載せられてＢＳ−ＤＴＭ選択部１４に渡される。そして、ＢＴＳ番号⇒Location ＩＤ抽出部１５によって、該当ＢＴＳ番号からLocation ＩＤが抽出される。
【００２２】
次に、Location ＩＤ⇒ＢＳ−ＤＴＭ番号抽出部１６によって、Location ＩＤからＢＳ−ＤＴＭ番号が抽出される。抽出されたＢＳ−ＤＴＭ番号は、ＢＳ−ＤＴＭ選択信号に載せられて信号解析生成部１３に返却される。信号解析生成部１３では、抽出されたＢＳ−ＤＴＭ番号がＢＳ−ＤＴＭ回線設定信号に載せられて対ＢＳ−ＤＴＭ送受信部１２に渡される。対ＢＳ−ＤＴＭ送受信部１２では、該当ＢＳ−ＤＴＭに向けてＢＳ−ＤＴＭ回線設定信号が送信される。
なお、ここでＲＮＣ１には、呼処理部や装置制御部などの機能部が含まれていることが一般的であるが、本実施形態に無関係の機能部についてはその記載及び説明を省略する。
なお、テーブルＡ、テーブルＢについては、ＲＮＣ内に設けずに、他の装置内に設けるという運用形態も考えられる。その場合、ＲＮＣから、他の装置内のテーブルＡ、テーブルＢを参照することになる。
【００２３】
（テーブルの構成例）
本システムにおいて用いるテーブルＡ、テーブルＢの構成例について、図２、図３を参照して説明する。
図２は、ＢＴＳの識別子であるＢＴＳ番号とLocation ＩＤとの対応表（すなわち対応テーブル）の例を示す図である。同図において、ＢＴＳ番号が「＃０」の場合は対応するLocation ＩＤは「＃Ａ」となる。同様に、ＢＴＳ番号が「＃１」の場合は対応するLocation ＩＤは「＃Ａ」、ＢＴＳ番号が「＃２」の場合は対応するLocation ＩＤは「＃Ｂ」、ＢＴＳ番号が「＃３」の場合は対応するLocation ＩＤは「＃Ｂ」、ＢＴＳ番号が「＃４」の場合は対応するLocation ＩＤは「＃Ｃ」、ＢＴＳ番号が「＃５」の場合は対応するLocation ＩＤは「＃Ｃ」、ＢＴＳ番号が「＃６」の場合は対応するLocation ＩＤは「＃Ｄ」となる。
【００２４】
一方、図３は、Location ＩＤとＢＳ−ＤＴＭの識別子であるＢＳ−ＤＴＭ番号との対応表（すなわち対応テーブル）の例を示す図である。同図において、ＢＳ−ＤＴＭ番号「＃２」には、Location ＩＤ「＃Ａ」、ＢＳ−ＤＴＭ番号「＃１」には、Location ＩＤ「＃Ｃ」が対応付けられている。
また、同図に示されているように、１つのＢＳ−ＤＴＭ番号に対して、複数のLocation ＩＤを対応付けることができる。例えば、ＢＳ−ＤＴＭ番号「＃０」には、Location ＩＤ「＃Ａ」，「＃Ｂ」，「＃Ｃ」が対応付けられている。
【００２５】
さらに、Location ＩＤ「＃＊」という特別な識別子が設置されている。ＢＴＳ番号から抽出されたLocation ＩＤが図３の対応テーブル中に存在しない場合に、上述した特別な識別子「＃＊」にLocation ＩＤを置換してＢＳ−ＤＴＭを選択できるようにしている。例えば、Location ＩＤが「＃Ｄ」の場合は、Location ＩＤを「＃＊」に置換してＢＳ−ＤＴＭ番号「＃３」が選択されることになる。
【００２６】
（ＢＳ−ＤＴＭの選択処理）
図４は、本例における呼生起時のＢＳ−ＤＴＭの選択論理の例を示すフローチャートである。同図は、上述した図９のシーケンス中にある、呼生起時のＢＳ−ＤＴＭ選択処理（Ｓ１０５）の内容を示している。
図４において、まず、通信開始時に用いられたＢＴＳ番号が抽出される（ステップＳ２０１）。次に、図２に示されている、ＢＴＳ番号とLocation ＩＤとの対応テーブルＡ（以下、ＴａｂｌｅＡと呼ぶ）が用いられ、ＢＴＳ番号からLocation ＩＤが抽出される（ステップＳ２０２）。そして、ＢＴＳ番号からLocation ＩＤを抽出できたか判定が行われる（ステップＳ２０３）。Location ＩＤを抽出できなかった場合は、解放手順に移行する（ステップＳ２０３→Ｓ２０４）。
【００２７】
一方、Location ＩＤを抽出できた場合は次の手順に進む（ステップＳ２０３→Ｓ２０５）。そして、図３に示されている、Location ＩＤとＢＳ−ＤＴＭ番号との対応テーブルＢ（以下、ＴａｂｌｅＢと呼ぶ）が用いられ、Location ＩＤからＢＳ−ＤＴＭ番号が抽出される（ステップＳ２０５）。次に、Location ＩＤからＢＳ−ＤＴＭ番号を抽出できたか判定が行われる（ステップＳ２０６）。ＢＳ−ＤＴＭを抽出できた場合は、ＢＴＳ番号からLocation ＩＤを用いてＢＳ−ＤＴＭを抽出することができたので処理が終了となる（ステップＳ２０６→Ｓ２０７）。Location ＩＤをキー情報としてＢＳ−ＤＴＭを抽出できなかった場合は、解放手順に移行する（ステップＳ２０６→Ｓ２０８）。
以上の選択論理を採用した場合、例えば、ＢＴＳ番号「＃２」については、ステップＳ２０２においてＴａｂｌｅＡが用いられ、Location ＩＤ「＃Ａ」となる。次に、このLocation ＩＤ「＃Ａ」については、ステップＳ２０５においてＴａｂｌｅＢが用いられ、ＢＳ−ＤＴＭ番号「＃１」となる。
【００２８】
（Location ＩＤからＢＳ−ＤＴＭの抽出）
図５は、Location ＩＤからＢＳ−ＤＴＭを抽出する処理（図４中のステップＳ２０５）の詳細を示すフローチャートである。同図において、まず、前のステップＳ２０３から受取ったLocation ＩＤ（ＢＴＳ番号をキー情報としてＴａｂｌｅＡから抽出）がＴａｂｌｅＢにあるか判定が行われる（ステップＳ３０１）。該当Location ＩＤがＴａｂｌｅＢにない場合は、Location ＩＤが「＃＊」に読みかえられる（ステップＳ３０２）。この「＃＊」は上述した通り、ＢＴＳ番号から抽出されたLocation ＩＤがＴａｂｌｅＢにない場合に「＃＊」にLocation ＩＤを置換してＢＳ−ＤＴＭを選択できるようにするための特別な識別子である。
【００２９】
次に、Location ＩＤ「＃＊」をキー情報としてＢＳ−ＤＴＭが選択できるか判定が行われる（ステップＳ３０３）。ＢＳ−ＤＴＭが選択できれば、Location ＩＤからのＢＳ−ＤＴＭ抽出フローは終了となる（ステップＳ３０３→Ｓ３０４）。すなわち、ＢＴＳ＃６からＢＳ−ＤＴＭが選択される際のフローに該当し、ＢＳ−ＤＴＭ＃３が選択される。一方、ＢＳ−ＤＴＭが選択不可の場合は解放手順に移行する（ステップＳ３０３→Ｓ３０５）。
【００３０】
次に、ＴａｂｌｅＢに該当Location ＩＤが存在する場合の処理について説明する。なお、以下に説明する処理は、図３に示されているような、１つのＢＳ−ＤＴＭに複数のLocation ＩＤが対応付けられているケースにも適用できる。該当Location ＩＤがＴａｂｌｅＢに存在する場合、Location ＩＤとＢＳ−ＤＴＭが一対一対応になっているＢＳ−ＤＴＭを選択可能かどうかの判定が行われる（ステップＳ３０１→Ｓ３０６）。この判定の結果、一対一対応になっているＢＳ−ＤＴＭを選択可能な場合は、Location ＩＤからのＢＳ−ＤＴＭ抽出フローは終了となる（ステップＳ３０１→Ｓ３０７）。すなわち、ＢＴＳ「＃０」、「＃１」、「＃４」、「＃５」からＢＳ−ＤＴＭが選択される際のフローに該当し、ＢＴＳ「＃０」、「＃１」の場合はＢＳ−ＤＴＭ「＃２」が選択され、ＢＴＳ「＃４」、「＃５」の場合はＢＳ−ＤＴＭ「＃１」が選択される。
【００３１】
次に、一対一対応になっているＢＳ−ＤＴＭを選択できない場合は、以下のようになる。すなわち、ＢＳ−ＤＴＭに対して複数Location ＩＤが対応付けられているＢＳ−ＤＴＭが存在するか判定が行われる（ステップＳ３０６→Ｓ３０８）。そして、Location ＩＤが複数対応付けられているＢＳ−ＤＴＭが存在しない場合は、解放手順に移行する（ステップＳ３０８→Ｓ３０９）。
一方、ＢＳ−ＤＴＭに対して複数Location ＩＤが対応付けられているＢＳ−ＤＴＭが存在する場合は、ＢＳ−ＤＴＭに対応付けられているLocation ＩＤの数が最も少ないＢＳ−ＤＴＭが選択され（ステップＳ３０８→Ｓ３１０）、Location ＩＤからのＢＳ−ＤＴＭ抽出フローは終了となる（ステップＳ３１０→Ｓ３１１）。すなわち、ＢＴＳ「＃２」、「＃３」からＢＳ−ＤＴＭが選択される際のフローに該当し、ＢＳ−ＤＴＭ「＃１」が選択される。
【００３２】
（Location ＩＤの付与）
図６は、Location ＩＤの付与イメージを示す図である。同図に示されているように、ネットワークトポロジーの観点を含んだ距離として近いＢＳ−ＤＴＭとＢＴＳとに対して同一のLocation ＩＤを事前に付与しておく。そして、ＲＮＣ１内部に、ＢＴＳ番号とLocation ＩＤとの対応テーブルであるＴａｂｌｅＡ（例えば、図２）、Location ＩＤと、ＢＳ−ＤＴＭ番号の対応テーブルであるＴａｂｌｅＢ（例えば、図３）とを保持しておく。
【００３３】
本例では、ＢＴＳ「＃０」、ＢＴＳ「＃１」にはLocation ＩＤ「ＩＤ１」を付与しておく。そして、これらＢＴＳ「＃０」、ＢＴＳ「＃１」に近いＢＳ−ＤＴＭ「＃０」には、ＢＴＳ「＃０」、ＢＴＳ「＃１」と同様のLocation ＩＤ「ＩＤ１」を付与しておく。
また、ＢＴＳ「＃２」、ＢＴＳ「＃３」にはLocation ＩＤ「ＩＤ２」を付与しておく。そして、これらＢＴＳ「＃２」、ＢＴＳ「＃３」に近いＢＳ−ＤＴＭ「＃１」には、ＢＴＳ「＃２」、ＢＴＳ「＃３」と同様のLocation ＩＤ「ＩＤ２」を付与しておく。
なお、同図に示されているように、ＢＳ−ＤＴＭ「＃２」にLocation ＩＤ「ＩＤ１」とLocation ＩＤ「ＩＤ２」とを付与して、共通的に使用可能なＢＳ−ＤＴＭとして配備することも可能である。
【００３４】
さらには、新たに１台ＢＳ−ＤＴＭを設置して、特別な識別子であるLocation ＩＤ「＃＊」を新設ＢＳ−ＤＴＭに対応付けることもできる。こうすることにより、その新設されたＢＳ−ＤＴＭは、全国で共通的に使用可能となる。このため、設備の増減が発生した際に、Location ＩＤとＢＳ−ＤＴＭとの対応情報が更新されていない状況でもＢＳ−ＤＴＭを選択することができ、保守稼動が削減できる。
なお、もし特別な識別子「＃＊」を設定しない場合は、全国のLocation ＩＤすべてと新設ＢＳ−ＤＴＭとを対応付ける作業が必要になる。つまり、本例では、この特別な識別子「＃＊」を設定しているので、そのような作業は必要ない。
【００３５】
（ネットワークトポロジーの観点を含んだ距離）
次に、図７を参照して、ネットワークトポロジーの観点を含んだ距離が近いと判断するための基準の例について説明する。同図には、４台のＢＳ−ＤＴＭ２１〜２４と、６台のＢＴＳ３１〜３６と、それらの間に設けられた８台のルータ５０〜５７とが示されている。同図中の各数値（１００ｍなど）は、各装置間の物理的距離を示している。なお、各ルータの代わりにスイッチ（つまり交換機）が設けられていてもよい。
このようなネットワーク構成において、例えば、下記の（１）〜（３）のいずれかの基準を採用して、ネットワークトポロジーの観点を含んだ距離を判断する。
【００３６】
（１）ルータのホップ数を基準とする例
ＢＴＳとＢＳ−ＤＴＭとの間のルータのホップ数が最小の経路を、ネットワークトポロジーの観点を含んだ距離が最も近いとする。この基準を採用する場合、ＢＴＳ３１またはＢＴＳ３２の配下であればＢＳ−ＤＴＭ２３（ルータ５５→ルータ５４経由）が、ＢＴＳ３３またはＢＴＳ３４の配下であれば、ＢＳ−ＤＴＭ２２（ルータ５６→ルータ５３経由）が、ＢＴＳ３５またはＢＴＳ３６の配下であれば、ＢＳ−ＤＴＭ２２（ルータ５７→ルータ５３経由）又はＢＳ−ＤＴＭ２４（ルータ５７→ルータ５２経由）が、最も近いことになる。
【００３７】
（２）伝送路の全体距離を基準とする例
ＢＴＳとＢＳ−ＤＴＭとの間の伝送路の距離が最も短い経路を最も近いとする。この基準を採用する場合、ＢＴＳ３３またはＢＴＳ３４の配下であれば、ＢＳ−ＤＴＭ２１（ルータ５６→ルータ５３→ルータ５１経由）が、最も近いことになる。
（３）直近の伝送路距離を基準とする例
次のルータ（またはスイッチ）までの伝送路の距離が最も短い経路を最も近いとする。この基準を採用する場合、ＢＴＳ３３またはＢＴＳ３４の配下であれば、ＢＳ−ＤＴＭ２４（ルータ５６→ルータ５３→ルータ５２経由）が、最も近いことになる。
なお、上記のような基準（ホップ数、距離）を元に、経路情報を固定的に予め登録しておき、登録しておいた経路情報に基づいてルーティングを行ってもよい。また、図７では、各ルータの配下にＢＴＳが２台設けられているが、１台であってもよく、その台数は問わない。
【００３８】
（通信路設定方法）
上述した無線通信システムにおいては、以下の通信路設定方法が採用されている。すなわち、通信開始時に呼毎に選択される伝送装置と無線基地局とを利用して通信路を設定する通信路設定方法であり、ネットワークトポロジーの観点を考慮した特定の装置からの距離に応じて付与された識別子と上記無線基地局との対応関係を示す第１のテーブルを参照するステップ（例えば、図４中のステップＳ２０２に対応）と、上記識別子と上記伝送装置との対応関係を示す第２のテーブルを参照するステップ（例えば、図４中のステップＳ２０５に対応）と、上記第１及び第２のテーブルの参照結果に基づいて選択された伝送装置を利用して通信路を設定するステップ（例えば、図９中のステップＳ１０７、Ｓ１０８に対応）とを含む通信路設定方法が採用されている。
この通信路設定方法によれば、第１及び第２のテーブルを用いているので、伝送装置、無線基地局と識別子との対応関係が複雑であっても、テーブル内の識別子を参照して、通信路を適切に設定できる。
【００３９】
(まとめ)
以上説明したように本発明では、無線基地局と識別子との対応情報及び識別子と伝送装置との対応情報に基づいて、伝送装置を選択している。こうすることにより、無線制御装置のユーザデータ機能を切り出して、無線制御装置を経由せずにユーザデータを伝送装置で折り返してユーザデータの通信路を短縮できる移動通信ネットワークを実現させる上で、課題となる伝送装置と無線基地局との間の伝送路コストのロス、ユーザデータの伝送遅延、伝送路の圧迫を抑えることができる。
また、複数の識別子を１つの伝送装置に対応付けておき、対応付けられている識別子の数に基づいて伝送装置を選択することにより、共通的に伝送装置が利用でき、伝送装置の設備コストを抑えることができる。
【００４０】
さらに、特別な識別子を設けておき、無線基地局と識別子の対応情報から抽出された識別子が、識別子と伝送装置の対応情報に存在しなかった場合に特別な識別子に置換して、特別な識別子に対応付けられている伝送装置を選択できるようにすることにより、網構成の変更により識別子の変更があって、識別子と伝送装置との対応情報に抽出された識別子がない場合でも伝送装置を選択でき、識別子すべてが伝送装置に対応付いているかの確認・更新作業も削減でき、ネットワーク運用上の保守稼動を削減することができる。
【産業上の利用可能性】
【００４１】
本発明は、通信開始時に呼毎に選択される伝送装置と無線基地局とを利用して通信路を設定する場合に利用することができる。
【図面の簡単な説明】
【００４２】
【図１】本実施形態のシステムにおけるＲＮＣの主要構成の一例を示すブロック図である。
【図２】ＢＴＳの識別子であるＢＴＳ番号とLocation ＩＤとの対応テーブルの例を示す図である。
【図３】Location ＩＤとＢＳ−ＤＴＭの識別子であるＢＳ−ＤＴＭ番号との対応テーブルの例を示す図である。
【図４】本実施形態における呼生起時のＢＳ−ＤＴＭの選択論理の例を示すフローチャートである。
【図５】Location ＩＤからＢＳ−ＤＴＭを抽出する処理（ステップＳ２０５）の詳細を示すフローチャートである。
【図６】Location ＩＤの付与イメージを示す図である。
【図７】ネットワークトポロジーの観点を含んだ距離が近いと判断するための基準の例を示す図である。
【図８】移動体通信ネットワークの構成例を示す図である。
【図９】回線交換通信の場合における、ＢＳ−ＤＴＭ回線設定のシーケンス例を示す図である。
【符号の説明】
【００４３】
１  無線制御装置
１０  コアネットワーク
１１  ＲＡＮＡＰ信号送受信部
１２  対ＢＳ−ＤＴＭ送受信部
１３  信号解析生成部
１４  ＢＳ−ＤＴＭ選択部
１５  ＢＴＳ番号⇒Location ＩＤ抽出部
１６  Location ＩＤ⇒ＢＳ−ＤＴＭ番号抽出部
１７  スタティックメモリ
２１〜２４  伝送装置
３１〜３６  無線基地局
４１、４２  移動局
５０〜５７  ルータ
Ａ、Ｂ  テーブル
【図１】
2008312137.tif 000003
【図２】
2008312137.tif 000004
【図３】
2008312137.tif 000005
【図４】
2008312137.tif 000006
【図５】
2008312137.tif 000007
【図６】
2008312137.tif 000008
【図７】
2008312137.tif 000009
【図８】
2008312137.tif 000010
【図９】
2008312137.tif 000011